(57)【要約】      （修正有）【課題】パレットの上面に対して、矩形板状に形成された複数のパネル材を積み重ねて梱包する際に、当該複数のパネル材のコーナーを支持するパネル材の梱包用コーナー支持機構に関し、上下方向に加わる荷重に起因する変形や破損を抑制し得るパネル材の梱包用コーナー支持機構を提供する。【解決手段】梱包用コーナー支持機構は、搬送用パレット上に複数のパネル材を積み重ねたパネル梱包体を構成し、複数のパネル材における各コーナーを支持する。梱包用コーナー支持機構は、支持部材１０とベース部材２０を複数積み重ねて構成され、各パネル材のコーナーを支持する。梱包用コーナー支持機構の最上段では、支持部材１０とベース部材２０が組み合わされており、段積みされたパネル梱包体による荷重を、第１規制突部１２上端面と、当該第１規制突部１２の上端面よりも広い面積を有するベース部材２０の面で受ける。【選択図】図９
2014019485.tif 000002
【特許請求の範囲】
【請求項１】
パレットの上面に対して、矩形板状に形成された複数のパネル材を積み重ねて梱包する際に、前記パレットの上面において、前記複数のパネル材の各コーナーに対応する位置に固設されるベース部材と、前記ベース部材の上方に配設され、前記パネル材の各コーナーを支持する複数の支持部材と、を有するパネル材の梱包用コーナー支持機構であって、
前記複数のパネル材のコーナーに対応する位置において、前記ベース部材の第１面が前記パレットの上面と接触する状態で固設されたベース部材と、
前記パレットの上面に固設されたベース部材に対して、当該ベース部材の第１面の裏側にあたる第２面側に取り付けられた支持部材と、によって、
前記複数のパネル材の内、最下段に位置するパネル材のコーナー下面が支持され、
前記支持部材は、
前記パネル材のコーナー上面に配設されると共に、その上方に位置するパネル材のコーナー下面を支持し、
前記複数のパネル材の内、最上段に位置するパネル材の各コーナーの上部に配設された支持部材には、前記ベース部材が、当該ベース部材の第１面が上面となる状態で取り付けられており、
前記パレット上面に積み重ねられた複数のパネル材の上下方向に作用する荷重を受ける前記ベース部材の第１面側の面積が、前記支持部材における当該荷重を受ける面積よりも大きく形成されている
ことを特徴とするパネル材の梱包用コーナー支持機構。
【請求項２】
請求項１記載のパネル材の梱包用コーナー支持機構であって、
前記ベース部材と前記支持部材が相互に取り付けられた場合に、
複数のパネル材の上下方向に作用する荷重を受ける当該ベース部材の表面は、当該支持部材において、複数のパネル材の上下方向に作用する荷重を受ける面と同一平面を構成する
ことを特徴とするパネル材の梱包用コーナー支持機構。
【請求項３】
請求項１又は請求項２記載のパネル材の梱包用コーナー支持機構であって、
前記支持部材は、
当該支持部材から鉛直方向に突出形成され、当該支持部材に対して取り付けられたベース部材の外側面と接触することで、当該ベース部材の水平方向への移動を規制する規制突部を有する
ことを特徴とするパネル材の梱包用コーナー支持機構。
【請求項４】
請求項１乃至請求項３の何れかに記載のパネル材の梱包用コーナー支持機構であって、
前記ベース部材は、
当該ベース部材から鉛直方向に突出形成され、当該ベース部材に対して取り付けられた支持部材の外側面と接触することで、当該支持部材の水平方向への移動を規制する規制部を有する
ことを特徴とするパネル材の梱包用コーナー支持機構。
【発明の詳細な説明】
【技術分野】
【０００１】
本発明は、パレットの上面に対して、矩形板状に形成された複数のパネル材を積み重ねて梱包する際に、当該複数のパネル材のコーナーを支持するパネル材の梱包用コーナー支持機構に関する。
【背景技術】
【０００２】
従来、太陽電池モジュールのような矩形板状に形成されたパネル材は、製造工場から設置現場までの搬送する際や当該パネル材を保管する際に、外力による損傷を受けることがないように保護する為、パレット上に複数のパネル材を積み重ねて梱包されている。
【０００３】
上述のようなパネル材の梱包に関する発明として、例えば、特許文献１に記載された発明が知られている。特許文献１においては、複数のコーナー支持部材を上下に積み重ねた積層柱によって、複数のパネル材をパレット上の上下方向に積み重ねて保持するように構成されている。積層柱を構成する各コーナー支持部材は、パネル材の外隅角部に当接する直交壁と、当該直交壁から水平に延出し、パネル材の隅部の下面を載せ受ける荷重受け部とを有している。
【先行技術文献】
【特許文献】
【０００４】
【特許文献１】特開２０１１−１７８４５０号公報
【発明の概要】
【発明が解決しようとする課題】
【０００５】
ここで、特許文献１記載のように、パレット上に複数のパネル材を上下方向に積み重ねて保管する際には、各積層柱の最上部に位置するコーナー支持部材上に、更にパレットを段積みする場合がある。この場合、積層柱上に段積みされたパレットや、当該パレット上のパネル材等の荷重は、当該積層柱の最上部に位置するコーナー支持部材の上面に作用することになる。
【０００６】
この点、特許文献１記載の構成においては、積層柱の最上部に位置するコーナー支持部材の上面は、パネル材の外隅角部に当接する直交壁の上面によって構成されている。つまり、積層柱上に段積みされたパレット等の荷重を、コーナー支持部材を構成する直交壁の上面という僅かな面積で受けることになる為、上記パレット等の荷重は、直交壁の上面とパレットの下面との接触部分に集中し、コーナー支持部材の上面やパレットの下面が変形する要因となってしまう。更に、コーナー支持部材やパレットが変形してしまった場合、積層柱によって上下に積み重ねられているパネル材が破損する要因となってしまう。
【０００７】
本発明は、パレットの上面に対して、矩形板状に形成された複数のパネル材を積み重ねて梱包する際に、当該複数のパネル材のコーナーを支持するパネル材の梱包用コーナー支持機構に関し、上下方向に加わる荷重に起因する変形や破損を抑制し得るパネル材の梱包用コーナー支持機構を提供する。
【課題を解決するための手段】
【０００８】
請求項１に係るパネル材の梱包用コーナー支持機構は、パレットの上面に対して、矩形板状に形成された複数のパネル材を積み重ねて梱包する際に、前記パレットの上面において、前記複数のパネル材の各コーナーに対応する位置に固設されるベース部材と、前記ベース部材の上方に配設され、前記パネル材の各コーナーを支持する複数の支持部材と、を有するパネル材の梱包用コーナー支持機構であって、前記複数のパネル材のコーナーに対応する位置において、前記ベース部材の第１面が前記パレットの上面と接触する状態で固設されたベース部材と、前記パレットの上面に固設されたベース部材に対して、当該ベース部材の第１面の裏側にあたる第２面側に取り付けられた支持部材と、によって、前記複数のパネル材の内、最下段に位置するパネル材のコーナー下面が支持され、前記支持部材は、前記パネル材のコーナー上面に配設されると共に、その上方に位置するパネル材のコーナー下面を支持し、前記複数のパネル材の内、最上段に位置するパネル材の各コーナーの上部に配設された支持部材には、前記ベース部材が、当該ベース部材の第１面が上面となる状態で取り付けられており、前記パレット上面に積み重ねられた複数のパネル材の上下方向に作用する荷重を受ける前記ベース部材の第１面側の面積が、前記支持部材における当該荷重を受ける面積よりも大きく形成されていることを特徴とする。
【０００９】
そして、請求項２に係るパネル材の梱包用コーナー支持機構は、請求項１記載のパネル材の梱包用コーナー支持機構であって、前記ベース部材と前記支持部材が相互に取り付けられた場合に、複数のパネル材の上下方向に作用する荷重を受ける当該ベース部材の表面は、当該支持部材において、複数のパネル材の上下方向に作用する荷重を受ける面と同一平面を構成することを特徴とする。
【００１０】
又、請求項３に係るパネル材の梱包用コーナー支持機構は、請求項１又は請求項２記載のパネル材の梱包用コーナー支持機構であって、前記支持部材は、当該支持部材から鉛直方向に突出形成され、当該支持部材に対して取り付けられたベース部材の外側面と接触することで、当該ベース部材の水平方向への移動を規制する規制突部を有することを特徴とする。
【００１１】
そして、請求項４に係るパネル材の梱包用コーナー支持機構は、請求項１乃至請求項３の何れかに記載のパネル材の梱包用コーナー支持機構であって、前記ベース部材は、当該ベース部材から鉛直方向に突出形成され、当該ベース部材に対して取り付けられた支持部材の外側面と接触することで、当該支持部材の水平方向への移動を規制する規制部を有することを特徴とする。
【発明の効果】
【００１２】
請求項１に係るパネル材の梱包用コーナー支持機構は、ベース部材と、支持部材を上下方向に積み重ねることにより構成され、前記パレットの上面において、前記複数のパネル材の各コーナーに対応する位置に配設される。
前記複数のパネル材の内、最下段に位置するパネル材のコーナー下面は、パネル材のコーナーに対応する位置において、前記ベース部材の第１面が前記パレットの上面と接触する状態で固設され、梱包用コーナー支持機構の最下段を構成するベース部材と、当該ベース部材の第２面側に取り付けられた支持部材によって支持される。又、梱包用コーナー支持機構を構成する支持部材は、パネル材のコーナー上面に対しても配設される。ここで、パネル材を更に積み重ねた場合には、当該支持部材は、積み重ねたパネル材のコーナー下面を支持する。そして、前記複数のパネル材の内、最上段に位置するパネル材の各コーナー上面に配設された支持部材には、前記ベース部材が、当該ベース部材の第１面が上面となる状態で取り付けられる。
当該パネル材の梱包用コーナー支持機構は、このように構成されることにより、矩形板状に形成された複数のパネル材の各コーナーを夫々支持することができ、パレットの上面に対して、当該複数のパネル材を積み重ねた状態で保持し得る。これにより、当該パネル材の梱包用コーナー支持機構は、複数のパネル材をパレット上に積み重ねた状態で梱包し得る。
【００１３】
上述したように、当該梱包用コーナー支持機構の最下段において、ベース部材は、第１面側がパレット上面と接触する状態で固設されており、当該ベース部材の第２面側に支持部材が取り付けられるように構成されている。又、最上段に位置するパネル材の各コーナー上面に配設された支持部材には、前記ベース部材が、当該ベース部材の第１面が上面となる状態で取り付けられる。そして、前記パレット上面に積み重ねられた複数のパネル材の上下方向に作用する荷重を受ける前記ベース部材の第１面側の面積が、前記支持部材における当該荷重を受ける面積よりも大きく形成されている。従って、当該パネル材の梱包用コーナー支持機構によれば、複数のパネル材の上下方向に作用する荷重を大きな面積で受けることができるので、当該パネル材の梱包用コーナー支持機構によれば、当該荷重に起因する変形や破損を抑制し得る。
更に、当該パネル材の梱包用コーナー支持機構によれば、当該梱包用コーナー支持機構の上部に、更にパレットを段積みして保管する場合においても、上方に段積みされたパレット下面と、梱包用コーナー支持機構の最上段に取り付けられたベース部材の第１面側が接触することになる。そして、前記ベース部材の第１面側の面積が、前記支持部材における当該荷重を受ける面積よりも大きく形成されている為、当該梱包用コーナー支持機構の上部に、更にパレットを段積みした場合であっても、段積みしたパレット等の荷重が集中することを抑制することができ、もって、段積みしたパレット下面等の変形や、段積みしたパレット下方に位置するパネル材の破損を防止し得る。
【００１４】
請求項２に係るパネル材の梱包用コーナー支持機構において、複数のパネル材の上下方向に作用する荷重を受ける当該ベース部材の表面は、当該支持部材において、複数のパネル材の上下方向に作用する荷重を受ける面と同一平面を構成する。従って、当該パネル材の梱包用コーナー支持機構によれば、複数のパネル材の上下方向に作用する荷重を、ベース部材の表面（第１面側の面）に加えて、支持部材の表面により受けることができる。即ち、当該パネル材の梱包用コーナー支持機構によれば、複数のパネル材の上下方向に作用する荷重を、より広い面積で受け、荷重の集中を緩和することができるので、当該荷重に起因する変形や破損を抑制し得る。又、当該梱包用コーナー支持機構の上部に、更にパレットを段積みした場合であっても、段積みしたパレット等の荷重が集中することを更に抑制することができ、もって、段積みしたパレット下面等の変形や、段積みしたパレット下方に位置するパネル材の破損を防止し得る。
【００１５】
請求項３に係るパネル材の梱包用コーナー支持機構によれば、前記支持部材は、当該支持部材から鉛直方向に突出形成された規制突部を有する。当該規制突部は、支持部材とベース部材を相互に取り付けた場合に、ベース部材の外側面と接触することで、当該ベース部材の水平方向への移動を規制する。即ち、支持部材とベース部材を相互に取り付けた場合に、支持部材とベース部材の相対的な位置関係が規制突部によって一定に保たれる為、複数のパネル材を安定した状態で、パレット上に積み重ねることができる。更に、当該梱包用コーナー支持機構の上部に、更にパレットを段積みした場合においても、支持部材とベース部材の相対的な位置関係が規制突部によって一定に保たれる為、複数のパレットを段積み保管する場合においても、安定した状態で段積みすることができる。
【００１６】
請求項４に係るパネル材の梱包用コーナー支持機構によれば、前記ベース部材は、当該ベース部材から鉛直方向に突出形成された規制部を有する。当該規制部は、支持部材とベース部材を相互に取り付けた場合に、当該ベース部材に対して取り付けられた支持部材の外側面と接触することで、当該支持部材の水平方向への移動を規制する。即ち、支持部材とベース部材を相互に取り付けた場合に、支持部材とベース部材の相対的な位置関係が規制部によって一定に保たれる為、複数のパネル材を安定した状態で、パレット上に積み重ねることができる。更に、当該梱包用コーナー支持機構の上部に、更にパレットを段積みした場合においても、支持部材とベース部材の相対的な位置関係が規制突部によって一定に保たれる為、複数のパレットを段積み保管する場合においても、安定した状態で段積みすることができる。
【図面の簡単な説明】
【００１７】
【図１】本実施形態に係る梱包用コーナー支持機構を用いたパネル梱包体の外観斜視図である。
【図２】梱包用コーナー支持機構を用いたパネル梱包体の保管態様の一例を示す外観斜視図である。
【図３】本実施形態に係る梱包用コーナー支持機構を構成する支持部材の外観斜視図である。
【図４】本実施形態に係る梱包用コーナー支持機構を構成するベース部材の外観斜視図である。
【図５】支持部材とベース部材を第１態様で組み合わせた状態を示す外観斜視図である。
【図６】図５におけるＸ−Ｘ断面を示す断面図である。
【図７】支持部材とベース部材を第２態様で組み合わせた状態を示す外観斜視図である。
【図８】図７におけるＹ−Ｙ断面を示す断面図である。
【図９】支持部材及びベース部材におけるパレット表面との接触面を示す説明図である。
【図１０】本実施形態に係る梱包用コーナー支持機構を用いたパネル材の梱包手順に関する説明図（１）である。
【図１１】本実施形態に係る梱包用コーナー支持機構を用いたパネル材の梱包手順に関する説明図（２）である。
【図１２】本実施形態に係る梱包用コーナー支持機構を用いたパネル材の梱包手順に関する説明図（３）である。
【図１３】本実施形態に係る梱包用コーナー支持機構を用いたパネル材の梱包手順に関する説明図（４）である。
【図１４】本実施形態に係る梱包用コーナー支持機構を用いたパネル材の梱包手順に関する説明図（５）である。
【図１５】図１４における各パネル材の支持態様を示す説明図である。
【図１６】梱包用コーナー支持機構における上部分の構成を示す部分拡大図である。
【図１７】梱包用コーナー支持機構における上部分に対するバンドの取付態様を示す部分拡大図である。
【図１８】梱包用コーナー支持機構における下部分の構成を示す部分拡大図である。
【図１９】梱包用コーナー支持機構における下部分に対するバンドの取付態様を示す部分拡大図である。
【発明を実施するための形態】
【００１８】
以下、本発明に係るパネル材の梱包用コーナー支持機構を、パネル材３０の梱包用コーナー支持機構１に適用した一実施形態に基づいて、図面を参照しつつ詳細に説明する。
【００１９】
先ず、本実施形態に係る梱包用コーナー支持機構１を用いたパネル梱包体５０の構成について、図１、図２を参照しつつ説明する。
【００２０】
図１に示すように、パネル梱包体５０は、矩形板状に形成された複数のパネル材３０の四隅を、梱包用コーナー支持機構１により夫々支持することで、搬送用パレットＰ上面に対して、上下に積み重ねた状態で保持して構成される。そして、各梱包用コーナー支持機構１は、夫々、支持部材１０と、ベース部材２０を複数積み重ねることにより構成されている。又、当該パネル梱包体５０において、搬送用パレットＰ上に積み重ねられた複数のパネル材３０は、梱包用コーナー支持機構１を介して、バンドＢによって締結されており、より安定した状態で、搬送用パレットＰ上に保持されている。
【００２１】
図２に示すように、当該パネル梱包体５０は、保管時や運搬時におけるスペースを有効的に活用する為に、搬送用パレットＰや他のパネル梱包体５０を、その上部に段積み可能に構成されている。搬送用パレットＰ等をパネル梱包体５０上に段積みした場合、上部に段積みされた搬送用パレットＰの底面は、各梱包用コーナー支持機構１の最上面と接触することになる。
【００２２】
尚、本実施形態におけるパネル材３０は、所謂、太陽電池モジュールであり、パネル本体３１と、パネルフレーム３２により構成される。パネル本体３１は、矩形板状に形成された太陽電池モジュールの本体部分であり、光起電力効果を利用し、光エネルギーを直接電力に変換する為のセル結晶系シリコン等を有している。そして、パネルフレーム３２は、断面が略コの字状に形成されたアルミ材によって形成され、前記パネル本体３１の外縁に沿って配設されている。当該パネルフレーム３２は、前記パネル本体３１の外縁を保護すると共に、後述する支持部材１０の第２規制突部１３と協働して、当該パネル材３０のコーナーを、支持部材１０の所定位置に位置決めする機能を果たす。
【００２３】
又、搬送用パレットＰは、荷物（本実施形態においては、パネル材３０）を載せる為の荷役台であり、フォーク挿入孔ＰＡを有している（図１、図２参照）。フォーク挿入孔ＰＡは、搬送用パレットＰの側面に水平方向に延びる穴状に形成されており、フォークリフトやハンドリフトを用いて荷役作業を行う際に、フォークリフト等のフォークが挿入される部分である。
【００２４】
続いて、本実施形態に係る梱包用コーナー支持機構１の構成について、図面を参照しつつ詳細に説明する。図１、図２に示すように、梱包用コーナー支持機構１は、夫々、支持部材１０と、ベース部材２０を複数積み重ねることにより構成されており、複数のパネル材３０の四隅を夫々支持することで、搬送用パレットＰ上面に対して、複数のパネル材３０を上下に積み重ねた状態で保持する。本実施形態においては、梱包用コーナー支持機構１は、搬送用パレットＰ上に積み重ねるパネル材３０の数より一つ多い支持部材１０と、２つのベース部材２０により構成される。
【００２５】
支持部材１０は、梱包用コーナー支持機構１を構成するとともに、各パネル材３０のコーナーを支持する部材であり、図３に示すように、本体部１１と、第１規制突部１２と、第２規制突部１３を有している。本体部１１は、各パネル材３０のコーナーを支持する部分であり、平面視、略直角二等辺三角形をなす板状に構成されている。
【００２６】
第１規制突部１２は、本体部１１における２つの鋭角を構成する外側縁の内、等辺側に形成されており、本体部１１に対して鉛直に突出形成されている。第１規制突部１２は、本体部１１表面（上面及び下面）から、それぞれ所定量突出しており、後述するように、支持部材１０とベース部材２０を組み合わせた場合に、支持部材１０とベース部材２０の相対的な位置関係を一定に保つ。
【００２７】
尚、第１規制突部１２は、本体部１１の上面側においては、本体部１１の上面から、ベース部材２０の厚み分の突出量で突出するように形成されており、本体部１１の下面側においては、本体部１１の下面から、ベース部材２０の厚み分の突出量で突出するように形成されている。
【００２８】
第２規制突部１３は、本体部１１の上面に突出形成されており、後述するように、支持部材１０上面に対してベース部材２０を取り付けた場合に、支持部材１０とベース部材２０の相対的な位置関係を一定に保つ。第２規制突部１３は、平面視、直角二等辺三角形をなす三角柱状に形成されており、本体部１１における二等辺三角形の各等辺から、パネルフレーム３２に対応した距離分、オフセットした位置に形成されている。
尚、第２規制突部１３は、本体部１１上面から、後述するベース部材２０のバンド溝２２部分の厚み分の突出量で突出するように形成されている。
における
【００２９】
図１等に示すように、ベース部材２０は、梱包用コーナー支持機構１の最上段及び最下段において、支持部材１０とともに構成する部材である。ベース部材２０は、搬送用パレットＰ上面において、パネル材３０のコーナーに対応する位置にネジ等により固設され、梱包用コーナー支持機構１の最下段を構成する。又、本実施形態においては、ベース部材２０は、梱包用コーナー支持機構１の最上段において、支持部材１０に対して取り付けられる。
【００３０】
図４に示すように、ベース部材２０は、平面視、略Ｌ字状を為す板状に形成されており、規制部２１と、バンド溝２２を有している。規制部２１は、Ｌ字状をなすベース部材２０の直角部分において、鉛直方向における一方向（図４（Ｂ）では下方）へ突出するように、その外縁に沿って立設された壁状部であり、ベース部材２０表面から、支持部材１０における本体部１１の厚みに対応する突出量で突出している。後述するように、当該規制部２１は、支持部材１０とベース部材２０を組み合わせた場合に、支持部材１０とベース部材２０の相対的な位置関係を一定に保つ。
【００３１】
そして、バンド溝２２は、パネル梱包体５０を構成する上で、複数のパネル材３０を締結するバンドＢが取り付けられる部分であり、ベース部材２０において、規制部２１の突出方向とは逆側の面（本発明における第１面に相当）を、凹状に窪んだ直線状の溝として形成されている。当該バンド溝２２は、ベース部材２０の第１面に２本形成されており、夫々、規制部２１の両端縁を起点として、直角をなす辺とに平行に伸び、相互に直交している。
【００３２】
尚、本実施形態においては、ベース部材２０の第１面とは、バンド溝２２が形成されている面を意味し、ベース部材２０の第２面とは、バンド溝２２が形成された第１面の裏面を意味する。
【００３３】
上述のように構成された支持部材１０とベース部材２０は、図１等に示すように、梱包用コーナー支持機構１の最上段及び最下段において、相互に組み合わされて配置される。先ず、梱包用コーナー支持機構１の最下段における支持部材１０とベース部材２０の組み合わせ態様について、図５、図６を参照しつつ詳細に説明する。
【００３４】
梱包用コーナー支持機構１の最下段においては、支持部材１０とベース部材２０は、第１態様で組み合わされて配置される。ここで、第１態様とは、本体部１１下面がベース部材２０の第２面と接触するように、支持部材１０とベース部材２０を組み合わせた態様を意味する。
【００３５】
図５に示すように、支持部材１０とベース部材２０を第１態様で組み合わせた場合、支持部材１０において、各第１規制突部１２の下部は、夫々、ベース部材２０の外側面と接触する。又、ベース部材２０の規制部２１は、支持部材１０の直角部分における側面と接触する（図５、図６参照）。従って、第１態様で組み合わせた場合、支持部材１０とベース部材２０は、第１規制突部１２及び規制部２１によって、一定の位置関係で組み合わされる。
【００３６】
この時、ベース部材２０におけるバンド溝２２の端縁は、支持部材１０とベース部材２０を第１態様で組み合わせた場合、支持部材１０の第１規制突部１２と、ベース部材２０の規制部２１の間に位置する。
【００３７】
上述したように、規制部２１は、ベース部材２０表面から、支持部材１０における本体部１１の厚みに対応する突出量で突出している為、図６に示すように、規制部２１の端面は、支持部材１０の本体部１１上面と同一平面を構成する。又、第１規制突部１２は、本体部１１の下面から、ベース部材２０の厚み分の突出量で下方に突出している為、ベース部材２０の第１面は、第１規制突部１２の下端面と同一平面を構成する。
【００３８】
次に、梱包用コーナー支持機構１の最上段における支持部材１０とベース部材２０の組み合わせ態様について、図７、図８を参照しつつ詳細に説明する。
【００３９】
梱包用コーナー支持機構１の最上段においては、支持部材１０とベース部材２０は、第２態様で組み合わされて配置される。
ここで、第２態様とは、本体部１１上面がベース部材２０の第２面と接触すると共に、ベース部材２０の第１面が上面となるように、支持部材１０とベース部材２０を組み合わせた態様を意味する。
【００４０】
図７に示すように、支持部材１０とベース部材２０を第２態様で組み合わせた場合、支持部材１０において、各第１規制突部１２の上部は、夫々、ベース部材２０の外側面と接触する。又、図７、図８に示すように、ベース部材２０の規制部２１は、支持部材１０の直角部分における側面と接触し、更に、第２規制突部１３の側面は、ベース部材２０の側面と接触する。従って、第２態様で組み合わせた場合、支持部材１０とベース部材２０は、第１規制突部１２、第２規制突部１３及び規制部２１によって、一定の位置関係で組み合わされる。
【００４１】
支持部材１０とベース部材２０を第２態様で組み合わせた場合においても、ベース部材２０におけるバンド溝２２の端縁は、支持部材１０の第１規制突部１２と、ベース部材２０の規制部２１の間に位置する。
【００４２】
図７、図８に示すように、第２規制突部１３は、ベース部材２０のバンド溝２２部分の厚み分の突出量で突出している為、支持部材１０とベース部材２０を第２態様で組み合わせると、第２規制突部１３の上面は、バンド溝２２の底面と同一平面を構成する。更に、第１規制突部１２は、本体部１１の上面から、ベース部材２０の厚み分の突出量で下方に突出している為、支持部材１０とベース部材２０を第２態様で組み合わせた場合、ベース部材２０の第１面は、第１規制突部１２の上端面と同一平面を構成する。
【００４３】
上述したように、梱包用コーナー支持機構１の最下段においては、支持部材１０とベース部材２０が第１態様で組み合わせた状態で、搬送用パレットＰ上面に固設される。従って、パネル梱包体５０において、梱包用コーナー支持機構１によって支持された複数のパネル材３０等の荷重は、梱包用コーナー支持機構１の最下段と、搬送用パレットＰ上面との接触部分に作用する。
【００４４】
梱包用コーナー支持機構１の最下段においては、支持部材１０とベース部材２０は、第１態様で組み合わされて、搬送用パレットＰ上面の所定位置（パネル材３０のコーナーに対応する位置）に配設される。図９（Ａ）に示すように、この時、ベース部材２０の第１面と、支持部材１０の第１規制突部１２下端面が搬送用パレットＰ上面と接触する。そして、ベース部材２０の第１面は、支持部材１０における２つの第１規制突部１２下端面よりも広い面積をもって、搬送用パレットＰ上面と接触する。従って、梱包用コーナー支持機構１によって支持されたパネル材３０等の荷重を、より広い面積で受けることができるので、搬送用パレットＰ上面等の変形を抑制することができ、もって、支持されているパネル材３０等の破損を防止し得る。
【００４５】
この時、ベース部材２０の第１面のみならず、支持部材１０における２つの第１規制突部１２下端面も、搬送用パレットＰ上面と接触する為、当該梱包用コーナー支持機構１によれば、支持されているパネル材３０等の荷重を、より広い面積で受けることができる。これにより、当該梱包用コーナー支持機構１は、より確実に、搬送用パレットＰ上面等の変形を抑制することができ、もって、支持されているパネル材３０等の破損を防止し得る。
【００４６】
そして、本実施形態においては、図２に示すように、パネル梱包体５０上に、更に搬送用パレットＰやパネル梱包体５０を段積みすることができる。パネル梱包体５０上に搬送用パレットＰ等を段積みした場合、各梱包用コーナー支持機構１の最上段に位置する支持部材１０とベース部材２０が段積みされた搬送用パレットＰ下面と接触する。梱包用コーナー支持機構１の最上段においては、支持部材１０とベース部材２０が第２態様で組み合わせた状態で配設されている。従って、パネル梱包体５０において、段積みされた搬送用パレットＰ等の荷重は、段積みされた搬送用パレットＰ下面と、梱包用コーナー支持機構１の最上段との接触部分に作用する。
【００４７】
梱包用コーナー支持機構１の最上段においては、支持部材１０とベース部材２０は、第２態様で組み合わされている。図９（Ｂ）に示すように、この時、ベース部材２０の第１面と、支持部材１０の第１規制突部１２上端面が、段積みされた搬送用パレットＰ下面と接触する。そして、ベース部材２０の第１面は、支持部材１０における２つの第１規制突部１２上端面よりも広い面積をもって、段積みされた搬送用パレットＰ下面と接触する。従って、段積みされた搬送用パレットＰ等の荷重を、より広い面積で受けることができるので、搬送用パレットＰ下面や、梱包用コーナー支持機構１の最上段を構成する支持部材１０、ベース部材２０等の変形を抑制することができ、もって、梱包用コーナー支持機構１で支持されているパネル材３０等の破損を防止し得る。
【００４８】
この時、ベース部材２０の第１面のみならず、支持部材１０における２つの第１規制突部１２上端面も、段積みされた搬送用パレットＰ下面と接触する為、当該梱包用コーナー支持機構１によれば、段積みされた搬送用パレットＰ等の荷重を、より広い面積で受けることができる。これにより、当該梱包用コーナー支持機構１は、より確実に、搬送用パレットＰ下面等の変形を抑制することができ、もって、支持されているパネル材３０等の破損を防止し得る。
【００４９】
続いて、本実施形態に係る梱包用コーナー支持機構１を用いて、搬送用パレットＰ上に複数枚のパネル材３０を積み重ねて梱包する手順について、図面を参照しつつ詳細に説明する。
【００５０】
先ず、図１０に示すように、搬送用パレットＰ上面における所定位置に、ベース部材２０をネジ等により固設する。この時、当該ベース部材２０は、その第１面が搬送用パレットＰ上面と接触する状態で、ネジ等によって固設される。尚、ベース部材２０の配設位置は、搬送用パレットＰ上面に積み重ねるパネル材３０の配置やサイズに基づいて、当該パネル材３０における４つのコーナーに対応する位置に固設される。
【００５１】
次に、図１１に示すように、搬送用パレットＰ上に固設されたベース部材２０に対して、支持部材１０を配設することで、各梱包用コーナー支持機構１の最下段を構成する。この時、支持部材１０は、本体部１１下面がベース部材２０の第２面と接触するように取り付けられる。即ち、梱包用コーナー支持機構１の最下段を構成する支持部材１０とベース部材２０を、第１態様で組み合わせる。
【００５２】
続いて、図１２に示すように、各梱包用コーナー支持機構１の最下段を構成する支持部材１０及びベース部材２０上に、パネル材３０の各コーナーを載置する。この時、パネル材３０のパネルフレーム３２は、その外側面をもって、支持部材１０の第１規制突部１２と接触する。これと同時に、パネル材３０のパネルフレーム３２は、その内縁をもって第２規制突部１３の側面と接触する。これにより、各梱包用コーナー支持機構１の最下段を構成する支持部材１０及びベース部材２０上の所定位置に、パネル材３０の各コーナーを位置決めした状態で載置される。
【００５３】
そして、図１３に示すように、支持部材１０上に載置されたパネル材３０の各コーナー上に、支持部材１０を載置する。この時、支持部材１０の第１規制突部１２下部が、その下方に位置するパネル材３０のパネルフレーム３２外側面と接触する為、パネル材３０のコーナーを介して、最下段を構成する支持部材１０の鉛直方向上方に位置する。
【００５４】
ここで、パネル材３０のコーナー上面に取り付けられた支持部材１０上には、パネル材３０のコーナーを載置することで、支持部材１０を介して、パネル材３０を積み重ねる。そして、載置したパネル材３０の各コーナー上面に対して、支持部材１０をそれぞれ載置する。そして、パネル梱包体５０の最上段にあたるパネル材３０を載置するまで、パネル材３０の載置と、支持部材１０の載置を繰り返す。その後、パネル梱包体５０における最上段に位置するパネル材３０の各コーナー上に、支持部材１０をそれぞれ載置する。
【００５５】
続いて、図１４に示すように、最上段に位置するパネル材３０のコーナー上に載置された支持部材１０上に、ベース部材２０をそれぞれ取り付ける。この時、ベース部材２０は、ベース部材２０の第２面が本体部１１上面と接触するように、第１面が上方を向いた状態で取り付けられる。即ち、梱包用コーナー支持機構１の最上段においては、支持部材１０とベース部材２０は、第２態様で組み合わされる。
【００５６】
このようにして、梱包用コーナー支持機構１によって、複数のパネル材３０を搬送用パレットＰ上に積み重ねて保持すると、図１５に示すように、梱包用コーナー支持機構１を構成する各支持部材１０の第１規制突部１２及び第２規制突部１３と、各パネル材３０のコーナーの協働により、梱包用コーナー支持機構１を構成する支持部材１０及びベース部材２０を鉛直方向に積み重ねられる。
【００５７】
こうして、梱包用コーナー支持機構１によって、搬送用パレットＰ上に、複数のパネル材３０を鉛直に積み重ねて保持した後、搬送用パレットＰ上の複数のパネル材３０をバンドＢによって締結する。
【００５８】
ここで、図１６に示すように、梱包用コーナー支持機構１の最上段においては、第２態様で組み合わされた支持部材１０とベース部材２０が、最上段にあたるパネル材３０のコーナー上に配設されている。この時、当該ベース部材２０は、第１面側が上方に向かう状態で、支持部材１０上に取り付けられている。従って、バンド溝２２は上方が開放された状態となるので、梱包用コーナー支持機構１の最上段において、バンドＢを、バンド溝２２に沿って配設し得る（図１７参照）。
【００５９】
図１６、図１７に示すように、各梱包用コーナー支持機構１の最上段において、バンド溝２２は、支持部材１０の第１規制突部１２と、ベース部材２０の規制部２１の間から直線状に延びている。従って、梱包用コーナー支持機構１の最上段において、バンド溝２２に沿ってバンドＢを配設すれば、複数のパネル材３０に対して鉛直に巻き付けることができる。
【００６０】
又、支持部材１０の第２規制突部１３は、ベース部材２０のバンド溝２２部分の厚み分の突出量で突出している為、第２規制突部１３の上面は、バンド溝２２の底面と同一平面を構成している。従って、梱包用コーナー支持機構１の最上段において、バンド溝２２に沿ってバンドＢを配設すると、梱包用コーナー支持機構１の最上段を構成する支持部材１０及びベース部材２０に、バンドＢを密着させた状態で配設することができる。これにより、複数のパネル材３０に対して、バンドＢの締結力を十分に作用させることができるので、より安定した状態で、積み重ねられた複数のパネル材３０を、搬送用パレットＰ上に保持し得る。
【００６１】
そして、図１８に示すように、梱包用コーナー支持機構１の最下段においては、第１態様で組み合わされた支持部材１０とベース部材２０が、搬送用パレットＰ上面の所定位置に配設されている。この点、梱包用コーナー支持機構１の最下段のベース部材２０は、バンド溝２２が形成された第１面が、搬送用パレットＰ上面と接触する状態で固設されているので、当該ベース部材２０と、搬送用パレットＰ上面との間に、バンド溝２２によりバンドＢを配設する為のスペースを確保することができる。従って、図１９に示すように、当該梱包用コーナー支持機構１によれば、搬送用パレットＰのフォーク挿入孔ＰＡ等を用いることなく、バンド溝２２を介して、バンドＢを配設することができる。
【００６２】
図１８、図１９に示すように、各梱包用コーナー支持機構１の最下段においても、バンド溝２２は、支持部材１０の第１規制突部１２と、ベース部材２０の規制部２１の間から直線状に延びている。従って、梱包用コーナー支持機構１の最下段において、バンド溝２２に沿ってバンドＢを配設すれば、複数のパネル材３０に対して鉛直に巻き付けることができる。
【００６３】
又、各梱包用コーナー支持機構１を構成する複数の支持部材１０は、鉛直方向に積み重ねられることになるので、各支持部材１０の第１規制突部１２も、鉛直方向に並ぶ（図１９参照）。従って、梱包用コーナー支持機構１の最上段及び最下段におけるバンド溝２２を用いて、バンドＢを配設すると、各第１規制突部１２の端縁と接触することによって、バンドＢを鉛直方向に案内することができる。これにより、当該梱包用コーナー支持機構１によれば、複数のパネル材３０に対して、より確実に、バンドＢを鉛直に巻き付けることができ、バンドＢの締結力を有効に複数のパネル材３０に作用させ得る。
【００６４】
以上説明したように、本実施形態に係る梱包用コーナー支持機構１は、支持部材１０と、ベース部材２０を上下方向に積み重ねることにより構成され、搬送用パレットＰ上面において、前記複数のパネル材３０の各コーナーに対応する位置に配設される。
前記複数のパネル材３０の内、最下段に位置するパネル材３０のコーナー下面は、パネル材３０のコーナーに対応する位置において、第１態様で組み合わされた支持部材１０とベース部材２０によって支持される。
又、図１１〜図１５に示すように、各梱包用コーナー支持機構１を構成する支持部材１０は、パネル材３０のコーナー上面に対しても配設される。ここで、パネル材３０を更に積み重ねた場合には、当該支持部材１０は、積み重ねたパネル材３０のコーナー下面を支持する。
そして、前記複数のパネル材３０の内、最上段に位置するパネル材３０の各コーナー上面に配設された支持部材１０には、前記ベース部材２０が、当該ベース部材２０の第１面が上面となる状態で取り付けられる。
【００６５】
従って、本実施形態に係る梱包用コーナー支持機構１によれば、矩形板状に形成された複数のパネル材３０の各コーナーを夫々支持することができ、搬送用パレットＰの上面に対して、当該複数のパネル材３０を積み重ねた状態で保持し得る。これにより、梱包用コーナー支持機構は、複数のパネル材３０を搬送用パレットＰ上に積み重ねた状態で梱包し得る。
【００６６】
そして、当該梱包用コーナー支持機構１の最下段においては、支持部材１０とベース部材２０が第１態様で組み合わせた状態で、搬送用パレットＰ上面に固設される。従って、パネル梱包体５０において、梱包用コーナー支持機構１によって支持された複数のパネル材３０等の荷重は、梱包用コーナー支持機構１の最下段と、搬送用パレットＰ上面との接触部分に作用する。図９（Ａ）に示すように、ベース部材２０の第１面と、支持部材１０の第１規制突部１２下端面が搬送用パレットＰ上面と接触する。そして、ベース部材２０の第１面は、支持部材１０における２つの第１規制突部１２下端面よりも広い面積をもって、搬送用パレットＰ上面と接触する。従って、梱包用コーナー支持機構１によって支持されたパネル材３０等の荷重を、より広い面積で受けることができるので、搬送用パレットＰ上面等の変形を抑制することができ、もって、支持されているパネル材３０等の破損を防止し得る。
【００６７】
この時、ベース部材２０の第１面のみならず、支持部材１０における２つの第１規制突部１２下端面も、搬送用パレットＰ上面と接触する為、当該梱包用コーナー支持機構１によれば、支持されているパネル材３０等の荷重を、より広い面積で受けることができる。これにより、当該梱包用コーナー支持機構１は、より確実に、搬送用パレットＰ上面等の変形を抑制することができ、もって、支持されているパネル材３０等の破損を防止し得る。
図２に示すように、パネル梱包体５０上に、更に搬送用パレットＰやパネル梱包体５０を段積みすることができる。パネル梱包体５０上に搬送用パレットＰ等を段積みした場合、各梱包用コーナー支持機構１の最上段に位置する支持部材１０とベース部材２０が段積みされた搬送用パレットＰ下面と接触する。梱包用コーナー支持機構１の最上段においては、支持部材１０とベース部材２０が第２態様で組み合わせた状態で配設されている。従って、パネル梱包体５０において、段積みされた搬送用パレットＰ等の荷重は、段積みされた搬送用パレットＰ下面と、梱包用コーナー支持機構１の最上段との接触部分に作用する。
【００６８】
梱包用コーナー支持機構１の最上段においては、支持部材１０とベース部材２０は、第２態様で組み合わされている。図９（Ｂ）に示すように、この時、ベース部材２０の第１面と、支持部材１０の第１規制突部１２上端面が、段積みされた搬送用パレットＰ下面と接触する。そして、ベース部材２０の第１面は、支持部材１０における２つの第１規制突部１２上端面よりも広い面積をもって、段積みされた搬送用パレットＰ下面と接触する。従って、段積みされた搬送用パレットＰ等の荷重を、より広い面積で受けることができるので、搬送用パレットＰ下面や、梱包用コーナー支持機構１の最上段を構成する支持部材１０、ベース部材２０等の変形を抑制することができ、もって、梱包用コーナー支持機構１で支持されているパネル材３０等の破損を防止し得る。
【００６９】
この時、ベース部材２０の第１面のみならず、支持部材１０における２つの第１規制突部１２上端面も、段積みされた搬送用パレットＰ下面と接触する為、当該梱包用コーナー支持機構１によれば、段積みされた搬送用パレットＰ等の荷重を、より広い面積で受けることができる。これにより、当該梱包用コーナー支持機構１は、より確実に、搬送用パレットＰ下面等の変形を抑制することができ、もって、支持されているパネル材３０等の破損を防止し得る。
【００７０】
又、本実施形態に係る梱包用コーナー支持機構１によれば、前記支持部材１０は、当該支持部材１０から鉛直方向に突出形成された第１規制突部１２及び第２規制突部１３を有する。図５〜図８に示すように、当該第１規制突部１２及び第２規制突部１３は、支持部材１０とベース部材２０を相互に取り付けた場合に、ベース部材２０の外側面と接触することで、当該ベース部材２０の水平方向への移動を規制する。即ち、支持部材１０とベース部材２０を相互に取り付けた場合に、支持部材１０とベース部材２０の相対的な位置関係が一定に保たれる。
【００７１】
図１１〜図１５に示すように、第１規制突部１２は、パネル材３０のパネルフレーム３２と接触することで、支持部材１０を、パネル材３０のコーナーに位置決めする。更に、第１規制突部１２及び第２規制突部１３は、パネル材３０のパネルフレーム３２と接触することで、支持部材１０上に載置されるパネル材３０のコーナーを所定位置に位置決めしうる。これにより、当該梱包用コーナー支持機構１によれば、複数のパネル材３０を安定した状態で、搬送用パレットＰ上に積み重ねることができる。更に、当該梱包用コーナー支持機構１の上部に、更に搬送用パレットＰを段積みした場合においても、支持部材１０とベース部材２０の相対的な位置関係がパネル材３０のコーナー上で一定に保たれる為、複数の搬送用パレットＰを段積み保管する場合においても、安定した状態で段積みすることができる。
【００７２】
更に、本実施形態に係る梱包用コーナー支持機構１によれば、前記ベース部材２０は、当該ベース部材２０におけるコーナー部分から鉛直方向に突出形成された規制部２１を有する。図５〜図８に示すように、当該規制部２１は、支持部材１０とベース部材２０を相互に取り付けた場合に、当該ベース部材２０に対して取り付けられた支持部材１０の外側面と接触することで、当該支持部材１０の水平方向への移動を規制する。即ち、支持部材１０とベース部材２０を相互に取り付けた場合に、支持部材１０とベース部材２０の相対的な位置関係を一定に保つことができる。これにより、当該梱包用コーナー支持機構１によれば、複数のパネル材３０を安定した状態で、搬送用パレットＰ上に積み重ねることができる。更に、図２に示すように、当該梱包用コーナー支持機構１の上部に、更に搬送用パレットＰを段積みした場合においても、支持部材１０とベース部材２０の相対的な位置関係がパネル材３０のコーナー上で一定に保たれる為、複数の搬送用パレットＰを段積み保管する場合においても、安定した状態で段積みすることができる。
【００７３】
以上、実施形態に基づき本発明を説明したが、本発明は上述した実施形態に何ら限定されるものではなく、本発明の趣旨を逸脱しない範囲内で種々の改良変更が可能である。例えば、本実施形態において、ベース部材２０における搬送用パレットＰとの接触面（即ち、ベース部材２０の第１面）に対して、ゴム等で形成された滑り止め部材を配設してもよい。又、ベース部材２０における搬送用パレットＰとの接触面に対して、細かな凹凸形状を形成する滑り止め加工を施しても良い。このように構成することにより、当該梱包用コーナー支持機構１を用いたパネル梱包体５０を段積みする場合において、段積みした搬送用パレットＰ等が、位置ずれ等を起こすことなく、安定した状態で段積みしうる。
【符号の説明】
【００７４】
１    梱包用コーナー支持機構
１０  支持部材
１２  第１規制突部
１３  第２規制突部
２０  ベース部材
２１  規制部
３０  パネル材
３２  パネルフレーム
５０  パネル梱包体
Ｐ    搬送用パレット
【図１】
2014019485.tif 000003
【図２】
2014019485.tif 000004
【図３】
2014019485.tif 000005
【図４】
2014019485.tif 000006
【図５】
2014019485.tif 000007
【図６】
2014019485.tif 000008
【図７】
2014019485.tif 000009
【図８】
2014019485.tif 000010
【図９】
2014019485.tif 000011
【図１０】
2014019485.tif 000012
【図１１】
2014019485.tif 000013
【図１２】
2014019485.tif 000014
【図１３】
2014019485.tif 000015
【図１４】
2014019485.tif 000016
【図１５】
2014019485.tif 000017
【図１６】
2014019485.tif 000018
【図１７】
2014019485.tif 000019
【図１８】
2014019485.tif 000020
【図１９】
2014019485.tif 000021